(57)【要約】【目的】二種以上のディジタル放送波を受信できる構成とした場合において、現在受信している番組が他の放送波でも放送されていることを検出してユーザにとって望ましい処理を実行できるディジタル放送受信装置を提供する。【構成】ＣＰＵ１３は番組情報や放送事業者情報に基づき、現在視聴中の番組と同一の番組が他の放送波で放送されているかどうかを判断する。放送されている場合、チューナ２Ａ・２Ｂから放送波の受信コンディションを取得し、更に番組の画質情報を取得し、現在受信している番組の方が受信コンディションや画質の点で他の放送波の同一番組よりも劣るかどうかを判断する。劣る場合には、自動的に他の放送波の同一番組を受信する処理を実行する。【選択図】　　　　　　　　図１
2004064463.tif 000002
【特許請求の範囲】
【請求項１】
二種以上のディジタル放送波を受信し、それぞれの放送波に含まれる各種データを取得して処理するように構成されたディジタル放送受信装置において、現在受信している放送波の番組と同一の番組が他の放送波で現在放送されているか否かを検出する手段と、同一の番組が他の放送波で現在放送されている場合であって且つ当該同一の番組を受信する方が好適であると判断した場合に、メッセージ表示の後にユーザ操作にて当該同一番組の受信を実行するか又は当該同一番組の自動受信を実行する手段と、を備えたことを特徴とするディジタル放送受信装置。
【請求項２】
請求項１に記載のディジタル放送受信装置において、放送波の受信コンディションに基づいて前記同一の番組を受信する方が好適であるかどうかを判断するように構成されたことを特徴とするディジタル放送受信装置。
【請求項３】
請求項１又は請求項２に記載のディジタル放送受信装置において、現在受信している放送波の番組の画質情報と前記同一の番組の画質情報との比較により、前記同一の番組を受信する方が好適であるかどうかを判断するように構成されたことを特徴とするディジタル放送受信装置。
【請求項４】
二種以上のディジタル放送波を受信し、それぞれの放送波に含まれる各種データを取得して処理するように構成されたディジタル放送受信装置において、予約した番組と同一又は類似の番組が他の放送波で放送予定であるか否かを検出する手段と、同一又は類似の番組が他の放送波で放送予定されている場合にメッセージを表示する手段と、を備えたことを特徴とするディジタル放送受信装置。
【請求項５】
請求項４に記載のディジタル放送受信装置において、予約した番組が他の予約番組と重複予約となったときで同一又は類似の番組が他の放送波で放送予定されている場合にメッセージを表示するように構成されたことを特徴とするディジタル放送受信装置。
【請求項６】
請求項４又は請求項５に記載のディジタル放送受信装置において、放送予定されている同一又は類似の番組が予約番組よりも高画質である場合にメッセージを表示するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。そして、衛星ディジタル放送としてＢＳとＣＳの両方を受信できる構成、更には、衛星ディジタル放送と地上波ディジタル放送の両方を受信できる構成とすることが可能である。
【０００３】
【発明が解決しようとする課題】
ところで、衛星ディジタル放送と地上波ディジタル放送で放送事業者は同じ番組を放送することが多くなると思われ、この場合において、地上波ディジタルではＳＤ（Ｓｔａｎｄａｒｄ　Ｄｅｆｉｎｉｔｉｏｎ　Ｔｅｌｅｖｉｓｉｏｎ）により放送を行い、衛星ディジタルではＨＤ（Ｈｉｇｈ　Ｄｅｆｉｎｉｔｉｏｎ　Ｔｅｌｅｖｉｓｉｏｎ）により放送を行うといったことが考えられる。また、悪天候時、衛星ディジタルでは低階層映像しか見られず、地上波ディジタルでは高画質で映像が見られるといったことが起こる場合も考えられる。このように二種以上のディジタル放送波を受信できる構成とした場合において、現在受信している番組が他の放送波でも放送されており、しかも高画質であるといったことがあり、それをユーザは知らずに低画質の方の番組を見続けてしまうといったことが生じる可能性がある。
【０００４】
この発明は、上記の事情に鑑み、二種以上のディジタル放送波を受信できる構成とした場合において、現在受信している番組が他の放送波でも放送されていることを検出してユーザにとって望ましい処理を実行することができるディジタル放送受信装置を提供することを目的とする。
【０００５】
【課題を解決するための手段】
この発明のディジタル放送受信装置は、上記の課題を解決するために、二種以上のディジタル放送波を受信し、それぞれの放送波に含まれる各種データを取得して処理するように構成されたディジタル放送受信装置において、現在受信している放送波の番組と同一の番組が他の放送波で現在放送されているか否かを検出する手段と、同一の番組が他の放送波で現在放送されている場合であって且つ当該同一の番組を受信する方が好適であると判断した場合に、メッセージ表示の後にユーザ操作にて当該同一番組の受信を実行するか又は当該同一番組の自動受信を実行する手段と、を備えたことを特徴とする。
【０００６】
上記の構成であれば、現在受信している番組が他の放送波でも放送されており、しかも受信コンディションが良いとか高画質であるといったごとく当該同一の番組を受信する方が好適である場合、それをユーザが知らずに受信番組を見続けてしまうといったことを回避することができる。
【０００７】
また、この発明のディジタル放送受信装置は、二種以上のディジタル放送波を受信し、それぞれの放送波に含まれる各種データを取得して処理するように構成されたディジタル放送受信装置において、予約した番組と同一又は類似の番組が他の放送波で放送予定であるか否かを検出する手段と、同一又は類似の番組が他の放送波で放送予定されている場合にメッセージを表示する手段と、を備えたことを特徴とする。
【０００８】
上記の構成であれば、予約した番組について、その放送波におけるその放送日時での予約の他に、他の放送波における同一又は異なる日時での同一或いは類似番組の予約の選択肢がユーザに与えられることになる。
【０００９】
予約した番組が他の予約番組と重複予約となったときで同一又は類似の番組が他の放送波で放送予定されている場合にメッセージを表示するように構成されていてもよい。また、放送予定されている同一又は類似の番組が予約番組よりも高画質である場合にメッセージを表示するように構成されていてもよい。
【００１０】
【発明の実施の形態】
以下、この発明の実施形態を図１乃至図４に基づいて説明するが、ここでは衛星ディジタル放送と地上波ディジタル放送の両方を視聴できる構成例を示している。図１はこの実施形態のディジタル放送受信装置３０を示したブロック図であり、図２は制御内容を示したフローチャートであり、図３は番組映像表示中のメッセージ画面を示した説明図であり、図４（ａ）（ｂ）は番組予約設定時のメッセージ画面を示した説明図である。
【００１１】
アンテナ１Ａは、屋外において所定の方向に向けて配置されており、ＣＳやＢＳから送られてくるディジタル放送信号を受信する。このアンテナ１Ａは一般に周波数変換器を備え、受信／周波数変換した信号を衛星ディジタルチューナ２Ａに与える。また、アンテナ１Ｂは地上波ディジタル放送信号を受信し、地上波ディジタルチューナ２Ｂに与える。
【００１２】
チューナ２Ａ・２Ｂは、映像・音声データを含む高周波ディジタル変調信号のうちから特定周波数の信号を取り出す。また、チューナ２Ａ・２Ｂは、復調回路、逆インタリーブ回路、誤り訂正回路などを備えることにより、選択したディジタル変調信号を復調してトランスポート・ストリームを出力する。
【００１３】
デマルチプレクサ（ＤＥＭＵＸ）３は、ＣＰＵ１３の指令に基づき、チューナ２Ａ・２Ｂからのトランスポート・ストリームを入力し、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等の付属情報に分離する。デマルチプレクサ３は、ＣＰＵ１３の指示により衛星ディジタル放送又は地上波ディジタル放送のビデオ・オーディオストリームを選択してＡＶデコーダ４に供給し、ＰＳＩ／ＳＩに含まれる番組情報（番組名、番組開始時刻、番組内容情報、番組ジャンル情報等）等をＣＰＵ１３に供給する。
【００１４】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１５】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成したり、主音声及び副音声のアナログ信号を生成したりする。
【００１６】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００１７】
ＯＳＤ（オンスクリーンディスプレイ）回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。このＯＳＤ回路１２により、メニュー画面やメッセージ画面などが表示される。
【００１８】
リモコン送信機１０は、当該放送受信装置３０に指令を送出するための送信機である。リモコン送信機１０の各キーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００１９】
メモリ（例えば、ＥＥＰＲＯＭ等）１４には、衛星ディジタル放送における番組情報（番組名、番組詳細、番組開始時間、番組終了時間、放送局情報等）及び地上波ディジタル放送における番組情報などが格納される。
【００２０】
ＣＰＵ１３は、このディジタル放送受信装置３０における全体制御を行うものであるが、特にこの発明にかかる制御として、以下に示す処理を行う。
【００２１】
▲１▼現在受信している番組と同一の番組が他の放送波で放送されているかどうかを判断する。この判断では、まず、衛星ディジタル放送と地上波ディジタル放送とに同一の放送事業者が存在するかどうかの判断が必要になるが、この判断はＢＩＴ（Ｂｒｏａｄｃａｓｔｅｒ　Ｉｎｆｏｒｍａｔｉｏｎ　Ｔａｂｌｅ）セクションの情報を用いることで可能となる。そして、ＥＩＴ（Ｅｖｅｎｔ　Ｉｎｆｏｒｍａｔｉｏｎ　Ｔａｂｌｅ）における番組名、番組詳細、放送時間等の一致を判断することにより、両放送波で同じ番組が放送されているかどうかを判断することができる。なお、受信したＢＩＴに基づいてメモリ１４に放送事業者管理テーブルを作成しておくのがよい。また、地上ディジタル放送では、同じ放送事業者（放送局）が運営する衛星放送のチャンネル情報が伝送される予定であり、この情報を利用すれば放送事業者管理テーブルを作成していなくても、同じ放送事業者が他の放送波で放送を行っているかどうかが容易に判断できる。
【００２２】
▲２▼チューナ２Ａ及びチューナ２Ｂにおける受信コンディションを示す情報を取得して比較する。受信コンディションを示す情報としては、アンテナレベルやエラーレートなどがある。
【００２３】
▲３▼番組の画質を判断する処理を行う。画質は映像ストリームのビットレートやＰＭＴセクションの画像フォーマット情報によって判断することができる。なお、番組情報に画質情報を組み入れておくこととすれば、番組予約時において番組の画質を判断することが可能になる。
【００２４】
▲４▼これらの処理結果に基づいて自動選局やユーザへのメッセージ表示を実行する。この一連の処理を図２のフローチャートに基づいて説明していく。図２において、まず、現在視聴中の番組を放送している放送事業者と同一の放送事業者が他の放送波で存在するかどうかを判断する（ステップＳ１）。他の放送波で同一の放送事業者が存在する場合、この放送事業者における現在放送番組と当該受信装置の現在受信番組とを比較し、他の放送波で同じ番組が放送されているかどうかを判断する（ステップＳ２，ステップＳ３）。同じ番組が他の放送波で放送されていれば、その放送波の受信コンディションを取得し（ステップＳ４）、更に番組の画質情報を取得する（ステップＳ５）。次に、現在受信している番組の方が受信コンディションや画質の点で他の放送波の同一番組よりも劣るかどうかを判断する（ステップＳ６）。劣る場合には、自動的に他の放送波の同一番組を受信する処理を実行したり、或いは、他の放送波の同一番組の方が良い旨のメッセージを画面表示する（ステップＳ７）。いずれを採るかは、例えば、予めメニュー画面にて選択しておくことが考えられる。他の放送波の同一番組よりも劣らないのであれば、ステップＳ８に進み、全チャンネルについて確認したかどうかを判断し、ＹＥＳであれば終了し、ＮＯであればステップＳ２に進む。
【００２５】
上記のステップＳ７におけるメッセージ画面表示例を図３に示す。この図３に示すように、地上波○○テレビの「たのしい英会話」を視聴しているとき、ＢＳディジタル放送で同じ番組の「たのしい英会話」が高画質で放送されていることが検出されたとき、”ＢＳディジタル放送の高画質番組に切替ますか「ＹＥＳ」「ＮＯ」”のごとくメッセージが出力される。ユーザがリモコン送信機１０を操作して「ＹＥＳ」選択すれば、ＢＳディジタル放送における「たのしい英会話」受信に切り替わる。
【００２６】
▲５▼以上の処理とは別に、ＣＰＵ１３は、番組の視聴予約や録画予約に際し、この予約された番組と同一の番組或いは類似の番組が他の放送波で放送予定であるかどうかを検索する。類似番組の判断は、番組名やジャンルなどから判断することができる。また、予約番組の放送時間と同じ時間帯において同一の番組或いは類似の番組を検索するだけでなく、予約番組の放送時間の前後例えば４８時間の範囲内で検索を行うようにしている。番組の視聴予約や録画予約に際して単に同一或いは類似の番組を検索し、見つかった場合にユーザに提示する処理の他、予約番組が他の予約番組と重なってしまったときに同一番組や類似番組を検索して見つかった番組をユーザに提示する処理を行うようにしてもよい。図４にはかかる処理の画面表示例を示している。同図（ａ）は番組予約時の予約内容表示画面であり、この画面においてリモコン送信機１０の「決定」ボタンを押下すると、同図（ｂ）の画面に遷移する。この遷移画面では、予約番組が他の予約番組と重なってしまった旨のメッセージと共に、他の時間帯において同一番組が見つかったとしてその旨のメッセージを表示している。ユーザはこの画面を見て重複番組であるニュースの予約を破棄する選択の他に、地上波ディジタル放送による同一番組の予約に切り替えることを選ぶことができる。なお、同一番組や類似番組が見つかったというだけでなく、それが予約番組よりも高画質であるという条件のときにユーザに提示することとしてもよいものである。
【００２７】
【発明の効果】
以上説明したように、この発明であれば、二種以上のディジタル放送波を受信できる構成とした場合において、現在受信している番組が他の放送波でも放送されていることを検出してユーザにとって望ましい処理を実行したり、予約番組と同一又は類似の番組が他の放送波で受信可能であることのメッセージをユーザに提示できるといった効果を奏する。
【図面の簡単な説明】
【図１】この発明の実施形態のディジタル放送受信装置を示したブロック図である。
【図２】処理内容を示したフローチャートである。
【図３】番組映像表示中のメッセージ画面を示した説明図である。
【図４】同図（ａ）（ｂ）は番組予約時のメッセージ画面を示した説明図である。
【符号の説明】
１Ａ・１Ｂ　　アンテナ
２Ａ・２Ｂ　　チューナ
３　　デマルチプレクサ（ＤＥＭＵＸ）
４　　ＡＶデコーダ
１２　ＯＳＤ回路
１３　ＣＰＵ
１４　不揮発性メモリ
【図１】
2004064463.tif 000003
【図２】
2004064463.tif 000004
【図３】
2004064463.tif 000005
【図４】
2004064463.tif 000006